(57)【要約】      （修正有）【課題】筆記具を人差指の親指側に保持させ、保持態勢でも他の作業が可能で、筆記具の定位、進退伸縮、傾斜度形成、姿勢安定、操作簡便など五つの機能を備えた筆記具指保持具及び指装着用筆記具を提供する。【解決手段】連結部の位置を人差指の根関節あたりまで延伸させてから、両環形体の下に設け、筆記具を、連結部を支点とした扇形回動にさせ、連結部を中心に、筆記具や指装着具のタイプに合せて、上記記載の五つの機能を備えるための様々な手段を設ける。【選択図】図１
2011031502.tif 000002
【特許請求の範囲】
【請求項１】
指装着部と、連結部を介して、筆記具を人差指の親指側に保持させて、保持態勢と筆記態勢を交互に切替えながら使用する、筆記具指保持具及び指装着用筆記具において、筆記具の保持態勢と筆記態勢との交互切替えの際に、筆記具が所要の位置まで至らなかったり、行き過ぎたりすることがなく、所要の位置で止まる筆記具定位機能と、保持態勢では筆記具の先が人差指の指先より後ろに位置し、筆記態勢では筆記具が人差指の指先の前に突出することができる筆記具進退又は伸縮機能と、保持態勢では筆記具が人差指と平行状態を保持し、筆記態勢では筆記具の先が人差指の指先の下に置かれる傾斜度形成機能と、筆記態勢と保持態勢との切替え操作を、親指の動きだけで出来る操作簡便機能と、保持態勢と筆記態勢で、指を筆記具から離しても、筆記具の姿勢が崩れない筆記具姿勢安定機能など、以上の五つの機能を備えたことを特徴とする筆記具指保持具及び指装着用筆記具。
【請求項２】
指装着部と、連結部を介して、筆記具を人差指の親指側に保持させて、保持態勢と筆記態勢を交互に切替えながら使用する、筆記具指保持具及び指装着用筆記具において、連結部の位置を、筆記具を人差指と平行に保持させた際の、筆記具の下方に設けたことを特徴とする、上記請求項１の記具指保持具及び指装着用筆記具。
【請求項３】
指装着部と、連結部を介して、筆記具を人差指の親指側に保持させて、保持態勢と筆記態勢を交互に切替えながら使用する、筆記具指保持具及び指装着用筆記具において、筆記具の保持態勢と筆記態勢との交互間切替え操作において、保持態勢の筆記具を親指で側上方から下方に押し降ろすと筆記態勢となり、筆記態勢の筆記具を親指で下方から上に押上げすると、保持状態となることを特徴とする、上記請求項１と請求項２の何れかの、筆記具指保持具及び指装着用筆記具。
【請求項４】
指装着部と、連結部を介して、筆記具を人差指の親指側に保持させて、保持態勢と筆記態勢を交互に切替えながら使用する、筆記具指保持具及び指装着用筆記具において、親指で筆記具を下方から上方に押上げて離す動きを繰り返すだけで、筆記具の保持態勢と筆記態勢との交互間切替え操作を可能にしたことを特徴とする、上記請求項１と請求項２の、何れかの筆記具指保持具及び指装着用筆記具。
【請求項５】
指装着部と、連結部を介して、筆記具を人差指の親指側に保持させて、保持態勢と筆記態勢を交互に切替えながら使用する、筆記具指保持具及び指装着用筆記具において、筆記具の保持態勢を筆記態勢に切り替る操作を、親指を筆記具のボディに触れる必要がなく、連結部に設けたボタンの操作だけで可能にしたことを特徴とする、上記請求項１と請求項２の、何れかの筆記具指保持具及び指装着用筆記具。
【請求項６】
指装着部と、連結部を介して、筆記具を人差指の親指側に保持させて、保持態勢と筆記態勢を交互に切替えながら使用する、筆記具指保持具及び指装着用筆記具において、筆記具の筆記態勢と保持態勢との交互間態勢を切替える際に、筆記具の進退或いは伸縮が自動的に行われることを特徴とする、上記請求項１から請求項５の、何れかの筆記具指保持具及び指装着用筆記具。
【請求項７】
指装着部と、連結部を介して、筆記具を人差指の親指側に保持させて、保持態勢と筆記態勢を交互に切替えながら使用する、指装着用筆記具であって、保持態勢での筆記具の先と軸体全体が、キャップの中に収納されることを特徴とする、上記請求項１と請求項２と請求項３の、いずれかの中の指装着用筆記具。
【請求項８】
指装着部と、連結部を介して、筆記具を人差指の親指側に保持させて、保持態勢と筆記態勢を交互に切替えながら使用する、指装着用筆記具であって、筆記具の筆記態勢及び保持態勢の切替え操作により、筆記具の先が自動的に軸体の中に出入されると同時に、筆記具の軸体の後部が自動的にキャップの中に出入されることを特徴とする、上記請求項１と請求項２の何れかの中の指装着用筆記具。
【発明の詳細な説明】
【技術分野】
【０００１】
本発明は、筆記と別の作業を交互に行う際、筆記具をその度持ったり置いたりする必要がなく、筆記具を指に装着させたまま別の作業ができるようにした、筆記具指保持具及び指装着用筆記具に関するものである。
ここで言う筆記具とは鉛筆、万年筆、ボールペン、マジックペン、サインペン、シャープペンなどを含む棒状を呈する広意での筆記用具であり、筆記とは文字や符号、絵等を書く（描く）行為を言う。尚、絵描筆や毛筆等独特な握り方をする筆記具及びそれによる筆記の場合はこの限りではない。
【背景技術】
【０００２】
従来、筆記と別の作業を交互に行う際、その度筆記具を持ったりおいたりする動作を繰り返すため、効率が悪く、面倒だった。こうした問題を解決するために、筆記具を指や手に担持させるように工夫された、筆記具保持具が数多く開示されている。
また、目的や課題は異なるが、解決手段が類似するものとして、手の不自由な障害者や把持力の弱い人のために工夫された筆記具補助具や筆記具支持体等と、正しい筆記具の持ち方の練習具や矯正具などがいくつか開示されている。その中で典型的な先行技術としては下記のものがある。
【先行技術文献】
【特許文献】
【０００３】
【特許文献１】特開２００５-２７１５７０
【特許文献２】特開２００５-２３１３３８
【発明の概要】
【発明が解決しようとする課題】
【０００４】
上記記載の先行技術特開２００５-２７１５７０と、特開２００５-２３１３３８は、類似技術と思われるが、筆記具を人差指に装着して、人差指の側面に保持する筆記具保持具であって、固定部材に円形の筆記具保持部分をピンで回転可能に結合したものを基本構成とし、筆記具の保持部分に磁石を設けたり、筆記具を引っ掛ける部材を設けたりしたものである。（特開２００５-２７１５７０第２ページ２２行から２３行、特開２００５-２３１３３８の第上から２６行から２９行）
【０００５】
一般的に筆記をする際、親指と人差指と中指との三本の指で、それぞれ三つの方向と角度から筆記具を握って動かす。そして、筆記具を手に担持させたまま別の作業が可能で、筆記したいときには、簡単に筆記具を筆記態勢に切替えられる最も適する場所としては、筆記具を人差指の親指側に保持させることが理想的と考えられる。
しかし、実際単に二つのリング状体をピンで連結して、筆記具を人差指の親指側に保持させて使用して見ると、そのままでは非常に使いづらいことがわかる。なぜならば、筆記具を人差指の親指側に保持させて、保持態勢と筆記態勢とを交互に切替えながら使用するためには、技術的に解決しなければならないいくつかの問題があるからである。第一は、保持態勢では筆記具を人差指と平行にして保持させるのが理想的だが、筆記態勢では筆記具の後部は人差指の側面に位置するが、筆記具の先は、人差指の下に位置し、人差指を筆記具の上に乗せて、筆記具を押さえるため、人差指と筆記具の間に小さい三角形空間が形成される。このような形を形成させるためには、筆記具を回転させて、角度を変化させる必要があるだけでなく、指と筆記具が交差される傾斜度形成機能が必要となる。第二は、筆記態勢では、筆記具の先が人差指の前に約２〜３ｃｍ程度突出するので、そのまま筆記具を回転させて保持態勢に切替えると、筆記具の先が人差指の前に突出してしまい、他の作業をするのに邪魔になりかねない。そのため、保持態勢ではなるべく筆記具を後退、又は短縮させ、人差指より後ろに位置するようにし、筆記態勢に切替えると筆記具が前進、又は伸長され、人差指の前の筆記しやすい位置まで突出することができる筆記具進退機能、若しくは伸縮機能が必要となる。さらに第三は、筆記態勢と保持態勢との交互に切替えの際に、筆記具が所要の角度と位置まで至らなかったり、行き過ぎたりすることなく、所定の角度と位置で留まる、筆記具定位機能と、第四には、保持態勢では勿論、筆記態勢でも手や指の疲労を減軽させるための、指を筆記具から離しても、筆記具の姿勢が崩れない姿勢安定機能が求められる。そして第五は、筆記態勢と保持態勢を交互に切替える際に、簡単且瞬時に切替えができる、筆記具と最も近い親指の動きのみで、切替え操作が可能な操作簡便機能が望まされる。少なくともこれらの五つの機能（以下は五つの機能と略称する）を備えて始めて、無理なく、手や指が楽でかつ正しい筆記姿勢を保てる、使いやすい筆記具指保持具、及び指装着用筆記具となる。
【０００６】
しかし、上記記載の先行技術の場合は、指装着部材と筆記具保持部材との、二つのリング状物体をピンで連結しているため、ピンを中心にペンを回転させることにより、人差指と平行状態であった筆記具はそのまま回転されるだけで、筆記具と人差指との傾斜度や三角形空間が形成されにくく、筆記具の先を人差指の下に無理に引っぱって握るしかないなど、上記記載の五つの機能が完備されていない。そして、固定部に磁石を設ける方法では、保持対象となる筆記具が鉛筆やボールペン等の非金属素材の場合は、筆記具にいちいち金属などの被吸体を取り付ける必要があるので汎用性が欠けるなどの問題があった。
【０００７】
本発明は、筆記具を人差指の親指側に装着して、保持態勢と筆記態勢を交互に切替えながら使用する、上記記載の五つの機能を技術的に解決した、筆記具指保持具及び指装着用筆記具を提供することを課題とする。
【課題を解決するための手段】
【０００８】
以下、本発明の課題を解決する主要な手段について説明する。
人の指も筆記具も基本的に丸い棒状を呈するので、指装着部材も筆記具挟持部材も当然端面が環形を形成するのが自然とおもわれる。しかし、これらの二つの環形体をそのまま並列させて連接すると、例えそれがパティー状であっても、連結部の位置は両環形体の外延の中心部同士になり、両環形体の動きは連結点一点を中心に、角度を自在に回転させるだけで、そこに上記記載の五つの機能を備えさせるための手段を設けるのは極めて難しい。
【０００９】
そのため、本発明はまず二つの環形体をそのまま連結するのではなく、指装着部材は親指側の壁面を手首の方に延伸させてなる延伸部材を設け、筆記具挟持部材には筆記具受托部材を設けることで、連結部の位置を人差指の根関節あたりまで延伸させ、さらに連結部の連結部位を両環形体の外延の中心部同士ではなく、環形体の下に突出させてなる連結部を設ける。それにより、筆記具と指装着部の運動を単なる一点を中心とした回動ではなく、連結点を支点とした扇形回動となり、筆記具と人差指の間に自然と三角形空間ができ、そして、その扇形回動を元に、筆記具の進退、伸縮機能には重量と角度の変化を利用した滑動、バネなどの弾性物体の弾力、伸縮アームによる牽引伸縮、歯車による連動などの作用を利用し、筆記具の安定機能には半球形や三角形部材などの特定の係止部材による係止作用、又はバネなど弾性物による弾性作用を利用し、傾斜度形成には指装着部と、筆記具保持部の接触面に直線、曲線又は弧形の傾斜度を設けるなど、筆記具のタイプや種類に合わせてさまざまな手段を設けることで、上記記載の五つの機能を備えることを可能にする。
指装着用筆記具の場合は、指装着部および連結部の構成は、基本的に上記筆記具指保持具同様にし、上記筆記具指装着具の筆記具挟持部材をなくし、設計の段階から筆記具を受託部と一体化させ、連結部材を介して指装着部材と連結させる。その上、指装着用筆記具ならではの機能を付加させる。
本発明は上記記載の手段によって形成し、次のような効果を現す。
【発明の効果】
【００１０】
本発明の効果は、上記記載の五つの機能的特徴それぞれと言える。筆記具を筆記態勢と最も近い人差指の親指側に保持させ、親指の動きのみで筆記具の筆記態勢と保持態勢を、瞬時に交互切替えを可能にした利便性と、保持態勢では筆記具の先が指先より後ろに位置して安定するので、キーボートの入力や、手でものを握る、持ち上げるなど多くの作業がスムーズにできて、筆記態勢では筆記具の長さ、角度、傾斜度、三角形空間などが最も理想的な形が形成され、中指、人差指、親指三本の指を筆記具に寄せ合わせるだけで、自然と正しくて楽な筆記具の握り方になるので、一般人の使用上便利性が優れるだけでなく、子供の筆記練習具や矯正具としても効果が高く、さらには手や指が極めて楽で、指を離しても筆記具の姿勢が崩れないので、把持力の弱い人や障害を持ったかたの筆記補助具としても使いやすい。
そして、連結部の部位を筆記具の下に設けたことで、二つのリング状体を、単純にピンで連結したものより複雑な構造に思われかちだが、実際は、もともと筆記態勢の手のひらには、小さい卵を握る程の空間ができるのが常であり、また、筆記具は人差指より細いのが多く、連結部を筆記具の下に突設しても、手のひらより大きく下に突出させず、横からも筆記具の厚さを越えないようにすれば、筆記するにも他の作業にも、ほとんど邪魔になることにならない。逆に、筆記具を人差指に最大限に密着させて保持することを可能にし、筆記具と指装着部との接触する面積が広くなり、筆記具の姿勢安定性が確保でき、筆記具の態勢切替え操作の便利さの向上や、傾斜度や三角形空間の形成など、上記記載の五つの機能を実現する手段を設けやすく、筆記具に触れず、ボタンのみの操作を可能にするなど、多くの利点を生み出した。
指装着用筆記具の場合は、上記五つの機能を備えた上に、筆記具をよりコンパクトに、外形を好みに合わせて多様にするなど、設計の段階から幅広いデザインが可能となる。そして筆記具の自動進退機能や、筆先と軸体両方をキャップの中に収納させるなど、指装着用筆記具ならではの機能を実現することも可能にした。
【図面の簡単な説明】
【００１１】
【図１】筆記態勢の筆記具の角度と三角形空間を示した側面図である。
【図２】筆記態勢の筆記具の傾斜度を示した正面図である。
【図３】保持態勢の筆記具の位置を示した側面図である
【図４】実施例１の筆記具指保持具の斜視図である。
【図５】実施例１の筆記具指保持具の分解図である。
【図６】実施例１の筆記具指保持具の後面部分断面図である。
【図７】実施例１の筆記具指保持具の後面部分断面拡大図である。
【図８】実施例２の挟持部材を示したす斜視図である。
【図９】実施例２の後面部分断面拡大図である。
【図１０】実施例３の連結部後面部分断面拡大図である。
【図１１】実施例４の後面部分断面図である。
【図１２】実施例４の連結部後面部分断面拡大図である。
【図１３】実施例５の伸縮アームを示した斜視図である。
【図１４】実施例５の伸縮アームを示した部分拡大図である。
【図１５】実施例６の連結部後面部分断面拡大図である。
【図１６ａ】実施例６の保持態勢での連結部を示した部分断面図である
【図１６ｂ】実施例６の筆記態勢に切替える際の連結部の動きを示した部分断面図である。
【図１６ｃ】実施例６の筆記態勢の連結部を示した部分断面図である。
【図１７】実施例７の後面部分断面図である。
【図１８】実施例８の構造を示した側面部分断面図である。
【図１９】実施例８の構造を示した部分断面拡大図である。
【図２０】実施例８の後面部分断面拡大図である。
【図２１ａ】実施例９の保持態勢の側面部分断面図である。
【図２１ｂ】実施例９の筆芯のみが突出された状態の側面部分断面図である。
【図２１ｃ】実施例９の筆記態勢の側面部分断面図である。
【発明を実施するための形態】
【００１２】
まず、筆記具指保持具について説明する。
筆記具指保持具は大きく指装着部と、筆記具保持部と連結部の三つの部分から形成されるが、そのうち、指装着部は、指装着部材７と、延伸部材８と、連結部材９からなり、そのうち指装着部材７は、人差指の第二関節４と、根関節５との間に装着するもので、金属や合成樹脂等一定の硬度と柔軟性を有する材料を使用し、指に装着した際の一定の安定性さえ確保できれば、形状や手段は多様にできる。腕に取り付けるための腕時計ベルトと同様にベルト状、リング状、指輪状、チェーン状、グリップ式などさまざまな形状が可能である。しかし、装着部材の素材や形状とは関係なく、親指側の筆記具保持部と接する面は、硬質で平面状が望ましい。
そして、延伸部材８は、上記指装着部材７の硬質の平面状を手首の方向に延伸させてなり、その延伸部材８の下端部に連結部材９を設ける。延伸部材８は指装着部材７、或いは連結部材９に簡単に外したり、取り付けたりすることが可能な挿入式にすることもできる。延伸部材８と連結部材９の長さと形状は、筆記具指保持具及び指装着用筆記具のタイプや種類によって異なる。
【００１３】
筆記具保持部は、筆記具を保持するための筆記具挟持部材１１と、挟持部材１１を安定された状態で前後に滑動可能にするための受托部材１２と、受托部材１２の下に設けた連結部材１３から形成し、そのうち、挟持部材１１は、一定の径口で鉛筆のように前後同じ太さの筆記具を保持して、固定可能にした筒状タイプと、様々な形状や太さの既存の筆記具を保持可能にした開口状タイプと、二つのタイプに分けられる。そして、受托部材１２は上記挟持部材の形状やタイプに合わせて、筆記具を挟持した挟持部材１１が、安定した状態で前後に滑動可能に設け、受托部材１２の下に、上記指装着部の連結部材９と連結させるための、筆記具保持部の連結部材１３を設ける。挟持部材１１や受托部材１２の形状や長さは、筆記具指保持具及び指装着用筆記具のタイプや種類によって異なる。
【００１４】
連結部は本発明の重要な構成として、上記記載の指装着部の連結部材９と、筆記具保持部の連結部材１３と両方の連結部材を結合させて構成されるが、連結部の位置は、いずれも筆記具を人差指と平行に保持させた際の受託部材１２の下方に設ける。そして、延伸部材８や筆記具挟持部材１１、受托部材１２、連結部材１３などの、指装着部と筆記具保持部の両方の接触する面に傾斜度５６を設けるが、傾斜度５６は、両方接触する全面に直線の傾斜度を設けるか、或いは全面に弧形の傾斜度を設けるか、又は延伸部材８は直線平面にし、連結部材９と１３に、延伸部材８の直線平面より折曲された斜めの傾斜度を設けるなどの形状が可能であるが、いずれも筆記具を回転させると、筆記具の先が人差指の下に位置するように設ける。
【００１５】
そして、連結部材９と１３のネジ孔２７を中心とした周辺の指装着部と筆記具保持部と両方の接触する面と、筆記具の扇形運動範囲内に、タイプや種類によってバネ、アーム、蟻溝、突出部、歯輪など様々な手段を設けることで、上記記載の五つの機能を実現する。
【００１６】
次に、指装着用筆記具について説明する。
指装着用筆記具は大きく指装着部と、筆記具と連結部の三つの部分から形成されるが、そのうち、指装着部と連結部は上記説明した筆記具指装着具の指装着部及び連結部と同じにし、異なるところは、指装着用筆記具の場合は、筆記具保持部の代わりに直接筆記具を連結部材につなげる。つまり、上記筆記保持部に設けた挟持部材１１や筒状体１８などをなくし、設計の段階から、指装着用筆記具として、筆記具本体と受托部材１２、又は挟持環１９などを一体化させ、筆記具本体が連結部１３の上で前後移動、滑動、又は伸縮可能にする。
そして、筆記具自体の外観形状や、サイズやデザイン等を、多様な形状やサイズにし、さらに、指装着用筆記具ならではの、切替え操作をより面白くしたり、保持態勢での筆記具の先を隠蔽させたりするなどの新しい機能を付加させる。
【００１７】
本発明は以上の形態によって実施し、以下は、本発明のいくつかの実施例を図面を参照しながら詳細に説明する。尚、分かりやすくするために、実施例１から６までは筆記具指装着具の例を挙げ、実施例７は実施例１から６までの筆記具指装着具の実施例を、指装着用筆記具にする場合の、筆記具指装着具と異なる部分のみを説明する。そして、実施例８と実施例９は、指装着用筆記具ならではの例を挙げる。尚、本発明の五つの機能を実現するための手段においては、筆記具指保持具及び指装着用筆記具の両方とも、下記の実施例の手段に限らない。また、正しい筆記姿勢の筆記具と紙面との角度の標準については、明確な基準や規則もなければ、権威的学説もないようなので、ここでは発明の説明の便宜のため、一応５０度から６０度までを最適の角度範囲と仮定する。
【実施例１】
【００１８】
図４、図５、図６、図７は、それぞれ実施例１の指保持具の斜視図、分解図と、後面部分断面図及びその断面の部分拡大図である。
指装着部は人差指に装着する指装着部材７と、指装着部材７の親指側の壁面を手首の方に延伸させてなる延伸部材８と、その延伸部材８の下端部に設けた連結部材９から形成し、そのうち、指装着部材７は人差指の第二関節４と、根関節５との間に装着される指輪のような環形を形成し、その環形体に割口１４を設け、指の太さに合わせて調整可能にし、装着部材７を人差指に装着した際の、親指側の壁面は略平面を呈し、その略平面の第二関節４と近い最先端部分に係止部材６を設ける。係止部材６は中間部分が僅かにへこむ弧形を形成し、弧形の表面には筆記具の滑動を防止するための突起などを設ける。そして係止部材６の後の壁面を尾部の方に延伸させて延伸部材８を設けるが、延伸部材８は指装着部材７と、その下に設ける連結部材９を簡単に外したり、取り付けたりすることができるように、差込可能な差込口１０を設ける。差込口１０を設ける位置によって、分離した際の状態が異なるが、当実施例のように差込口１０を、係止部材６の直後に設けた場合、延伸部材８を外した時、人差指は指輪を着用したように見えるだけになる。そして延伸部材８の人差指の根関節５当たりの下端部に、連結部材９を設ける。
【００１９】
連結部材９は、親指側の表面の角度を、上記延伸部材８の壁面の角度より若干斜めにした傾斜度５６を設け、ネジ孔２７を連結部の中央に配置し、そのネジ孔２７周辺の表面に、筆記具の位置を安定させるための半球形凹部１５を設けるが、半球形凹部１５は、ネジ孔２７の左右両側に、筆記具と平行に二箇カ所と、筆記具を反時計方向に大体５５度に回転させた時の、ネジ孔２７の両側に二箇所の計４箇所設ける。
【００２０】
筆記具保持部は、細分して筆記具を挿入するための筒状体１８（挟持部材に相当する）と、挿入された筆記具を固定して握るための手握部２５と、筒状体１８を保持して、前後滑動させるための挟持環１９（開口状挟持部材の場合は受托部に相当する）と、その挟持環１９の下に設けた連結部材１３から形成されるが、筒状体１８は後端部は開口状で、開口状の内側は筆記具を安定させるための弾性部材と、後端の外縁は挟持環１９の脱落を防止するための突出部２１を設ける。筒状体１８の先端部は横に複数のネジ部２２を設け、そのネジ部２２を設けた部分に、横欠口２４を複数個設けることで、ネジ部２２の締め付けを可能にする。そして手握部２５は、裏側に筒状体１８の先端のネジ部２２を収縮固定できるよう、先端方向に行けば行くほどネジ部２２を締め付けるように、径口が小さくなるネジを設け、表面には上記係止部材６と噛み合う、係止されやすい突起などを設ける。
【００２１】
筆記具保持部の連結部材１３は、一端は壁面を設け、もう一端は開口した、中空状の筒状体を挟持環１９の下方に取り付、壁面を設けた側を指装着部の連結部材９と接する面にし、開口した面を親指側に向かせる。そして、連結部材９と接する面は、連結部材９と同じ斜めの傾斜度５６を形成し、壁面の中央にネジ孔２７を設け、ネジ孔２７の周辺に、上記連結部材９に設けた半球形凹部１５に嵌合させるための、半球形突出部１６を設けるが、上記指装着部の連結部材９には、半球形凹部１５を四箇所設けたのに対し、それに嵌合する半球形突出部１６は、ネジ孔２７の左右両側二箇所だけ筆記具と平行に設ければよい。そして、連結部材１３の中空状の中にボルト６０を穿設して、ボルト６０の外週に小物コイルバネ２０を設け、ナットで固定することによって、筆記具が小物コイルバネ２０の弾性圧力によって、常に指装着部の連結部材９側に付勢させる。最後は連結部全体の表面をカバー２６で被せる。
【００２２】
当実施例は上記によって形成し、これを使用する際は、指装着部材７を指の太さに合わせて調整してから、延伸部材８を人差指の側面から手首の方に向けて、人差指の第二関節４と根関節５との間に装着し、筒状体１８の経口より細い、鉛筆やボールペンなどの前後が同じ太さの筆記具を、筒状体１８に挿入して、筆記具を筆記しやすい長さに調整するが、筆記具の挟持環１９が、筒状体１８の最後端まで滑動できた時の筆記具の長さを、筆記態勢の所要の長さになるようにし、最先端まで滑動できた時に、手握部２５が上記係止部材６と同じ位置になるように配置して、手握部２５を回転させて筆記具を固定するとセット完了となる。そして筆記具の手握部２５を、上記係止部材６に係止させて、人差指と平行に保持すると保持態勢になる。
【００２３】
この保持態勢では、連結部材９と１３の位置安定用半球形突出部１６と半球形凹部１５が嵌合され、筆記具が上下に遊動することがなく、筆記具が挟持環１９と係止部材６の係止作用で前後にずれることもなく、また連結部材９と延伸部材８に設けた傾斜度の角度差作用で、筆記具は、筆先が人差指の後ろに位置した状態で、人差指の側面にしっかり密着して安定された保持態勢になるので、指を曲げて行うキーボートの入力や、手でものを掴むなど他の作業を不便なく行うことができる。
【００２４】
上記連結部材１３に設けた半球形突出部１６は、上記の設け方とは逆に、指装着部材の連結部材９に半球形突出部１６を設け、筆記具連結部材１３に半球形凹部１５を設けても同じ効果を得られる。そして、半球形を、三角形など別の形状にすることも可能であり、これらの形状や大きさは、筆記具連結部材に設けた小物コイルバネ２０の弾力などに合わせて、安定性と態勢切替え操作の安易さなどのバランスを取れるようにする。
【００２５】
筆記態勢に切替える際は、親指２を上げて人差指の側上面から筆記具を押し降ろす。すると、筆記具本体が挟持環１９のなかで自転しながら係止部材６を脱離して、連結部材９のネジ孔２７を支点とした扇形回転を始める。それと同時に、連結部材１３に設けた半球形突出部１６が、小物コイルバネ２０の弾力に抗しながら、連結部材９に設けた半球形凹部１５から脱出して、その回転先の約５５度の角度に設けた凹部に嵌め込まれ、所要の筆記態勢の角度で留まる。一方筆記具が回転されると同時に、筆記具は自身の重さと、筆記具が凹部に嵌込される時の弾性振動によって、筒状体１８が挟持環１９の先端の方に滑動され、筆記具が人差指の先まで突出される。そして、連結部に設けた傾斜度５６により筆記具の先は、自然と人差指の下の方向に斜めに置かれ、最適の筆記態勢になる。
【００２６】
この姿勢では、親指２と人差指１と中指３を筆記具に寄せて軽く握るだけで、上述した筆記具の長さ、角度と位置、傾斜度、三角形空間等の筆記態勢の良い条件が全て備わった姿勢になるため、自然に正しく且つ楽な筆記姿勢になり、指を離しても姿勢が崩れない。更に、指装着部材７や、筆記具を固定する傾斜度５６や、半球形突出部１６などは弾性をもっているし、筆記具の長さも挟持環１９の滑動によるものであるため、姿勢が安定しながらも堅く固定されることなく、柔軟なので、もともと筆記姿勢が良くなかった人でも、強い抵抗感を感じずに、段々と正しい姿勢になじむようになることができる。
【００２７】
筆記態勢を再び保持態勢に切替える際は、まず、準備姿勢として、筆記態勢で筆記具を握った人差指１と中指３を、そのまま曲げながら軽く引くと、挟持環１９が筒状体１８の後ろに滑動され、筆記具の前方部分が短くなる。そしたら、親指２で筆記具を押上げて筆記態勢に回転させる。すると、上記筆記態勢に切替える時と、反対の動きで連結部材の５５度位置の半球形凹部１５に嵌込されていた半球形突出部１６は、回転先の平行凹部に移動され、人差指と平行になり、手握部２５は係止部材６に係止され安定された保持態勢となる。
【００２８】
この実施例は、筒状体１８の径口より太い筆記具には向いてないが、しかし、とってもシンプルな構造でありながら、上記記載の五つの機能を備えてあり、筆記態勢では、中指と人差指で、筆記具を挟持して指を曲げたり、伸ばしたり、回したりしながら遊ぶこともできるので、鉛筆や棒状のボールペンなどの専用品として、また小学生や子供の筆記具の持ち方の教習具や練習具、矯正具としても適する。
【実施例２】
【００２９】
図８と図９は、それぞれ当実施例２の挟持部材を示した斜視図と、後面部分断面図である。
当実施例は、より多くのさまざまな形の筆記具を挟持可能にするため、筆記具挟持部材１１を、上記実施例１の筒状体１８代わりに、開口状にしたもので、弾性を有する素材で、挟持部材の親指側を前後二つの半円形爪３５にし、指装着部材と接する面は、なるべく延伸部材８の形状に合わせた略平面を形成する。そして、挟持部材１１の底面に受託部材１２を設け、蟻溝３２で挟持部材１１が受託部材１２の上で前後滑動可能に嵌込させる。そして受託部材１２の下に連結部材１３を設ける。
【００３０】
指装着部材７に設けた係止部材６を、挟持されるさまざまな形や太さの筆記具の手握部に対応しやくするために、弾性体の係止部材を設ける。それ以外の指装着部や連結部の構造を含むほかのところは実施例１と同様にする。
【００３１】
この実施例を使用する際は、筆記具を筆記態勢の所要の長さに合わせて筆記具を、挟持部材１１の二つの半円形爪３５に挿入してセットすると、上記実施例１の筒状体１８が、挟持環１９の中で滑動する代わりに、挟持部材１１が受託部材１２の上で前後滑動することになる。そして、保持態勢での筆記具が前後移動しないよう係止部材に、弾性をもたせてあるため実施例１と同じ安定効果を得られる。
【００３２】
この実施例は、鉛筆や前後同じ太さのボールペンなど特定の筆記具を挿入しやすくした実施例１に比べ、弾性を持つ半円形爪３５を前後二本設けることで、普段愛用するペンなど、さまざまな形をした既存の筆記具を装着して使用することができるので、汎用性が高い。
【実施例３】
【００３３】
図１０は、当実施例の連結部を示した後面部分断面拡大図である。
当実施例は、上記実施例１と実施例２の指装着部の連結部材９と、筆記具保持部の連結部材１３との接触する面に設けた半球形、または三角形の突出部や凹部をなくし、代わりに複数の同じ形状の小さい三角形突歯２３を、それぞれ連結部材９と、連結部材１３との接触する円盤状表面に、ネジ孔２７を中心に放射状に、交互噛合する様に設ける。そして、連結部に被せるカバー２６で、筆記具の回転角度を行き過ぎないように制限し、他のところは、上記実施例１、もしくは実施例２同様にする。
【００３４】
これにより、筆記態勢と保持態勢と交互切替える際に、連結部材９は固定されているため、連結部材１３に設けた三角形突歯２３のみが、小物コイルバネ２０の弾力に抗しながら、連結部材９に設けた三角形突歯２３と摩擦され、ガタガタと音を出しながら回転するようになる。好みによって切替え操作を自分のペースでゆっくり切替えることができる
【実施例４】
【００３５】
図１１、図１２は、当実施例４の後面部分断面図及びその連結部の拡大図である。当実施例は、保持態勢を筆記態勢に切替えの操作を、指で直接筆記具を動かす必要がなく、連結部の中央に突設したボタン４５を押すだけで、筆記態勢に切替えができる、操作の簡便さを実現したものである。
【００３６】
具体的には、連結部材９と連結部材１３からなる連結部の構造を、まずは連結部材１３の形状を、上記実施例１、もしくは実施例２と同様に、内側が筒状を呈する部材を受托部１２の下方に連設し、筒状の一端は開口状で、中に小物コイルバネ２０を設け、もう一端には壁面を設け、その壁面の中央にネジ孔２７を設ける。しかし、上記実施例１と実施例２は、ネジ孔２７を設けた側を連結部材９に接触させ、開口状の方を親指側にさせたとは反対に、開口状で、中に小物コイルバネ２０を設けた方を連結部材９に接触させ、壁面側を親指の方に向けて、ボルト６０で回転可能に連接することで、連結部材１３を常に親指側に付勢させる。そして、ネジ孔２７を設けた壁面には、上記実施例１と実施例２に設けた半球形突出部１６や半球形凹部１５代わりに、単方向のみ回転可能な一方向歯６１を設ける。
【００３７】
次に、指装着部材７の連結部材９は、まず、筆記具連結部材１３と接触する面に、ネジ孔２７を中心に、少なくとも上記受托部材１２の下方に連接した筒状の筆記具連結部材１３の外径と同じ大きさの柱形突出部２１を設け、その突出部２１の外周にねじりバネ３０を設け、ねじりバネ３０の一端は筆記具連結部材１３に、もう一端は連結部材９にそれぞれ掛着させ、連結部材１３を常に筆記態勢の角度に付勢させる。
【００３８】
さらに、連結部材９の辺縁の円形壁面を、親指側に延設させ、親指側に上記筆記具連結部材１３の親指側と接触する壁面を設け、その壁面の中央にネジ孔２７を設け、そのネジ孔２７の内側壁面に、上記筆記具連結部材１３の壁面に設けた、一方向歯６１と噛合する係止歯２９を設ける。そして、親指側の上記一方向歯６１を設けた壁面と、係止歯２９を設けた壁面との間の中央部に、ボタン４５を設け、ボタン４５の一端は連結部材１３に当接し、もう一端は、連結部材９とカバー２６の中央孔から親指側に露出させる。それ以外のところは実施例１同様にする。
【００３９】
この実施例を使用する際は、保持態勢から筆記態勢に切替える際、親指で筆記具のカバー２６の孔から露出しているボタン４５を軽く押すと、連結部材１３の壁面がボタン４５に押圧され、小物コイルバネ２０の弾力に抗しながら、連結部９の方に滑動され、一方向歯６１と係止歯２９が離れ、ねじりバネ３０の付勢力で筆記具が筆記態勢の方に回転される。そして筆記態勢の角度まで回転されたところで、ねじりバネ３０の弾力も弱くなり、辺縁がカバー２６の壁面に当接され止まる。保持態勢に戻したいときは、親指で下方から筆記具を押上げすると、所要の人差指と平行した角度まで来たところで、一方向歯６１と係止歯２９が噛合って留まる。
上記記載した構造は、筆記具保持部を実施例２の場合を説明したが、筆記具挟持部材１１を上記実施例１にする場合は、連結部材１３を挟持環１９の下に設ければよい。
【実施例５】
【００４０】
図１３と図１４は、それぞれ当実施例５の伸縮アームの構造を示した側面図と、その部分拡大図である。
当実施例は、上記実施例１と実施例２の、指装着部材７の親指側に設けた係止部材６をなくし、連結部材９と１３の後方に伸縮アーム３１を設け、伸縮アーム３１の伸縮、牽引作用によって、筆記態勢と保持態勢と交互に切替える際に、筆記具が自動的に進退するようにしたものである。
【００４１】
伸縮アーム３１は、同じ長さの複数のアームを、一定の角度で伸縮可能に交差連接させ、伸縮アーム３１の両辺のうち、一辺は交差された二本の端部のうち、一本の端部５７を筆記具保持部の連結部材１３の外週に、もう一本の端部５８は、その下の指装着部の連結部材９の外週にそれぞれ一定の角度内で回転可能にジョイントし、そしてもう一辺の端部は、交差端部を一本にして、それを筆記具保持部の挟持部材にジョイントするが、挟持部材が筒状体の場合は筒状体１８の末端部に、挟持部材が開口状の場合は、挟持部材１１の後端部にジョイントする。尚、挟持部材１１の後端部にジョイントする場合は、受托部材１２の蟻溝３２に伸縮アーム３１が前後移動可能な通り道としての切口を設ける必要がある。図１３、図１４は挟持部材が開口状の場合を示したものである。
【００４２】
当実施例を使用する際は、伸縮アーム３１を設けることによって、保持態勢では、連結部と近い側のアーム両端５７と５８の隣接距離が近いため、交差連接された伸縮アーム３１が伸展され、筆記具を尾部の方に牽引して後退させることになる。そして、筆記態勢に切替えると、筆記具の回転に従って、連結部材１３の外週に設けたアーム端部５７が回転され、連結部材９の外週に設けたアーム端部５８との距離が遠くなり、それによって、伸縮アーム３１が収縮され、筆記具を前に牽引して、筆記態勢の所要の長さまで前進させる。つまり、筆記具は態勢切替え操作によって、自動的に所要の位置まで進退するようになる。したがって、カバー２６の形状も、伸縮アーム３１がなかで自在に伸縮できるスペースを確保できる形にする。それ以外のところは、上記実施例１、又は実施例２と同様にする。
【実施例６】
【００４３】
図１５及び図１６a、図１６ｂ、図１６ｃは、当実施例の連結部の構造の動きを、三段階に分けて示した物である。当実施例は、まず、筆記具保持部の連結部材１３は、中央にネジ孔２７を設けた二枚の同形状の半円形歯車４３を、受托部材１２の下の左右両側に平行に連接させ、歯車４３の辺縁に設けた歯は、歯の角度を一辺は軸心と直線を形成し、もう一辺は斜めの鋭角を形成させることで、ガード部材を鋭角辺と当接される方向に回転させると、ガード部材が鋭角辺と摩擦しながら回転するが、軸心と直線を形成する辺に当接して回転させようとすると、直線歯が係止部材に係止され、回転ができない、言わば逆戻り不能な一方向歯３７にし、二枚の歯車４３の間に隙間を設け、その隙間に回転補助片３８を設ける。回転補助片３８は図１６の鎖線で示したような円形の両辺を切り取ったような形状を呈し、直径を歯車４３より一回り大きくすることで外延が歯車４３より若干突出するようにする。そして二枚の歯車４３の間に横軸３９を架設して、横軸３９の当接押圧作用によって、回転補助片３８の回転範囲とタイミングを制限させる。
【００４４】
一方、指装着部の連結部材９は、まず、上記連結部材１３の歯車４３と接する面に歯車４３の径口よりやや大きい柱形の突出部２１を設け、そこにねじりバネ３０を設け、ねじりバネ３０の両端をそれぞれ指装着部と筆記具保持部に掛止させ、ねじりバネ３０の弾力で筆記具を常に筆記態勢に付勢させる。さらに、連結部９の外延壁面を親指側まで延設させ、上記二枚の歯車４３と、中間に挟んだ回動補助片３８の回転に、邪魔にならないように外側から包むような中空状の半円形袋状を形成させ、中央部にボルト６０を串設して、連結部全体がボルト６０を円心として回動可能にする。そして、指装着部材９の人差指側と親指側まで延設した両壁面のあいだに、ガード部材４０を、上記二枚の歯車４３の辺縁に設けた一方向歯３７に当接して架設し、ねじりバネ４１の弾力でガード部材４０を一方向歯３７に付勢させ、歯車４３が逆戻りできないようにガードさせる。
【００４５】
当実施例は以上により形成し、これを使用する際は、筆記態勢の筆記具を保持態勢に切替える際、他の実施例同様に親指で下から筆記具を押上げる。すると一方向歯３７にガード部材４０が滑動され、カタカタと音を立てながら回転して、筆記具が人差指と平行になったところで、横軸３９が、回転捕助片３８の下方に当接されると同時に、ガード部材４０は回転捕助片３８の上方に当接され、一旦留まって保持態勢になる。この状態で、筆記具はねじりバネ４１の弾力で、筆記態勢に戻ろうとするが、一方向歯３７がガード部材４０に掛止され、安定した保持態勢を保つ。
【００４６】
そして、保持態勢を筆記態勢に切替える際は、再び親指で筆記具を下から上方にわずかに押上げして離す。すると下方で回転捕助片３８に当接されていた横軸３９の押圧作用で、歯車４３と回転捕助片３８が同時に回転される。すると歯車４３より横軸３９の径口がやや大きいため、ガード部材４０は、回転捕助片３８の上に乗載され、回転が止まり、歯車４３のみが、ガード部材４０から脱離され、ねじりバネ４１の弾力によって、筆記態勢の角度まで逆戻りされる。そして筆記態勢の角度になった時点で、今度は横軸３９が回転捕助片３８の上方に当接され、回転捕助片３８を押圧して、歯車４３と一緒に回転することで、ガード部材４０は、回転捕助片３８から、一方向歯３７の上に滑り落ちて元の状態に戻る。このような操作の繰り替えしによって、筆記態勢と保持態勢の切替えをおこなう。連結部以外の他の部分は、実施例１と実施例２と実施例３の、いずれかと同様にすることができる。尚、実施例１又は実施例２と同じにする場合は、係止部材は必要ないのでなくす。
【００４７】
この実施例は、保持態勢の筆記具を、筆記態勢に切替える操作を、親指を挙げて筆記具を側上方から下に押し降ろす動きと違い、保持態勢を筆記態勢に切替える操作も、筆記態勢を保持態勢に切替える操作も、両方とも、親指で筆記具を下から押上げて離す動きを繰り返すだけですむように、態勢切替え操作を一層簡単にさせ、利便性を向上させたものである。
【実施例７】
【００４８】
図１７は当実施例の後面部分端面図である。上記記載の実施例１から実施例６までは、すべて筆記具指保持具の場合の構造について説明したが、当実施例は、上記記載の６つの実施例を、指装着用筆記具にする場合の、筆記具指保持具と異なる構造のみを説明する。
【００４９】
指装着用筆記具は、大きく分けて指装着部、連結部と筆記具からなるが、そのうち指装着部と連結部は筆記具指保持具と基本的に変わりがなく、共通の構造にすることができる。異なるところは、筆記具の場合は筆記具保持部が必要なく、直接筆記具を連結部を介して指装着具につなぐだけでよい。より具体的に言えば、上記実施例１から実施例６までの構造の中から、筆記具保持部に設けた筆記具挟持部材１１、或いは筒状体１８をなくし、代わりに筆記具本体を設計の段階から受托部材１２を、又は挟持環１９を筆記具本体と一体化させ、筆記具本体が伸縮、又は進退可能にし、本体の下に連結部材１３を設け、連結部材１３と連結部材９を結合させた、専用の指装着用筆記具にする。
そのために、筆記具のキャップを若干長くして、筆記具の軸体の後部をキャップの中に収納させ、筆記具の軸本体がキャップの中で前後進退、又は滑動可能にし、キャップの下方を直接連結部材１３につなげる。そして、それを基本に、筆記具ならではの筆記具の端面形状を円形だけでなく方形や、三角形、楕円形、菱形などさまざまな形状にし、サイズも極力コンパクトにさせる。
【００５０】
それ以外の、指装着部や連結部の構造は、上記実施例１から実施例６までのいずれかの実施例と同じようにし、その実施例の具体的構造に合せて、必要な場合は相応する調整を行えばよい。たとえば、指装着部や連結部の構造を、実施例１、又は実施例２と同様にする場合は、筆記具の軸の前の手握部２５の形状に合せて、係止部材を設け、実施例５と同様にする場合は、伸縮アーム３１の端部を一本にした辺を、直接筆記具の軸体の後端部に回転自在に連接し、伸縮アーム３１が前後移動可能な通道として、キャップ５３の下方に切口を設ければよい。図１７には連結部材１３のバネの代わりに弾性部材４４を設けた。
【実施例８】
【００５１】
図１８、図１９、図２０は、それぞれ当実施例の構造を示した側面部分断面図と、その拡大図及び後面部分断面図である。
当実施例は、指装着用筆記具の中で、ボールペンなど筆心、軸、キャップなど部材を有する筆記具であって、キャップ５３の中に歯車３４を設けることで、保持態勢では筆先５５と軸体２８が、共にキャップ５３の中に収納され、インクによる汚れを防ぎ、携帯にも便利な形状を呈し、筆記態勢に切替えると、筆記具の伸縮が自動的に行うようにし、さらに連結部を上記実施例６の連結部と結合させることで、態勢切替え操作の利便性も優れた指装着用筆記具である。
【００５２】
具体的には、まず筆記具のキャップ５３の下に直接連結部材１３を設けるが、連結部材１３の構造は基本的に上記実施例６と同様にする。つまりネジ孔２７を設けた二枚の同形状の半円形歯車４３を、キャップ５３の下に平行に連接させ、歯車４３の辺縁に一方向歯３７を設ける。二枚の歯車４３の間に隙間を設け、その隙間に回転補助片３８を配置し、二枚の歯車４３の間に横軸３９を架設して、横軸３９の当接押圧作用によって、回転補助片３８の回転を制限させる。
【００５３】
一方、指装着部の連結部材９は、上記連結部材１３の歯車４３と接する面に歯車４３の径口よりやや大きい柱形の突出部２１を突設し、そこにねじりバネ３０を設け、ねじりバネ３０の弾力で筆記具を常に筆記態勢に付勢させる。さらに、連結部材９の外延壁面を親指側まで延設させ、上記二枚の歯車４３と、中間に挟んだ回動補助片３８を、外側から包んだ袋状を形成させ、ボルト６０を串設して、連結部全体がボルト６０を円心として回動可能にし、指装着部材９の人差指側と親指側まで延設した両壁面のあいだに、ガード部材４０を、上記二枚の歯車４３の辺縁に設けた一方向歯３７に当接して架設し、ねじりバネ４１の弾力で、ガード部材４０を一方向歯３７に付勢させ、歯車４３が逆戻りできないようにガードさせる。
【００５４】
以上までの連結部の構造は基本的に上記実施例６と同じであるが、異なるところは、上記実施例６は連結部材１３を、受托部材１２の下に設けたに対し、当実施例は連結部材１３をキャップ５３に直接設ける。そして、当実施例は、指装着部の連結部材９の親指側まで延設させた壁面を、さらに筆記具の形状に合わせて湾曲しながら筆記具の側面まで高く延設させ、その壁面のネジ孔２７の上方の形状を、図１８で示したような略扇形を形成し、その略扇形の弧形外延に固定突歯３３を設ける。
【００５５】
一方、キャップ５３の中に収納される軸体２８は、親指側の上側方に歯板３６を突設するが、その歯板３６の裏面に歯を設け、言わば、歯を下面に設けたラックを軸体２８の上側面に連接したようにし、そして同軸に大小二つの平板歯（ピ二オンとスーパーギヤのような歯車）からなる歯車３４を設け、小歯ピ二オンは上記固定突歯３３と噛合させ、スーパーギヤは、歯板３６に噛み合わせる。そして、軸体２８と歯車３４の間のキャップ５３に間壁１７を設け、歯車３４を回動自在に軸着させる。そして、連結部を含む筆記具と指装着部との接触される面全体に直線の傾斜度５６を設ける。
【００５６】
この実施例は、以上により形成し、これを使用する際は、上記実施例６同様の操作で、筆記具の回転によって筆記態勢に切替えると、上記歯車３４の小歯ピ二オンが、上記連結部材９を親指側まで延設させた略扇形壁面の外延に設けた固定突歯３３に噛合回転されることによって、スーパーギヤに歯合された歯板３６のラックが一緒に前進することになり、それによって、筆記具軸体２８が、キャップ５３の中から突出される。
そして筆記態勢を保持態勢に切替えの際は、親指で筆記具を下から押上げすると、歯車３４が上記と反対方向に回転して、筆記具を引っ張ることで筆記具の中身が牽引され、キャップ５３の中に収納され、筆記具が短縮される。
【００５７】
当実施例は、保持態勢での筆記具が、単なる長さが短縮され、人差指の後ろに位置するだけでなく、筆記具の先端までが外殻の中に収納させることで、よりほかの作業をしやすくした指装着用筆記具である。固定突歯３３と歯車３４と歯板３６の、それぞれの規格は、所要の筆記態勢の角度や筆記具の長さなどに合せて設計すればよい。
【実施例９】
【００５８】
図２１a、図２１ｂ、図２１ｃはそれぞれ当実施例９の保持態勢の筆記具を筆記態勢に切替えるまでの筆記具の動きを、三段階に分けて示したものである。
当実施例は、指装着用筆記具の中で、ボールペンなど筆心、軸体、キャップなど部材を有する筆記具の場合であって、保持態勢で筆先５５は軸体２８の中に、筆記具の軸体２８の後部はキャップ５３の中に、それぞれ収納隠蔽され、外観がシンプルで、筆体が短く、インクによる汚れを防ぐことができ、筆記態勢に切替えると、筆先５５と軸体２８の後部が、それぞれ軸体２８と、キャップ５３の中から突出され、筆記態勢の長さまで伸長されるようにしたもので、言わば、市販の尾栓やグリップの押圧操作や、キャップを回転させて筆芯を進退させる出没式ボールペンの公知技術を応用して、筆記具の親指側につまみ４９を設け、つまみ４９の操作で、筆芯５４と軸体２８を、両方一緒に作動可能にしたものである。
【００５９】
具体的には、キャップ５３は一般ボールペンより比較的長くし、筆記具の軸体２８の手握部２５からの後ろ部分を、キャップ５３の中に収納させ、キャップ５３と軸本体２８の間には、コイルバネ６３を設け、筆先５５と軸体２８の間には小物コイルバネ２０を設け、軸体２８と筆芯５４を、両方とも常に尾栓５２の方に付勢させる。そしてキャップ５３の筒状体の内面に、複数のカム突出部５０を設けるが、カム突出部５０は一般ボールペンの約２倍から３倍長くし、カム突出部５０の間に回転子４６を摺動、回転自在に配置し、その回転子４６の後部に、回転子４６を押圧回転させる摺動子４７を設け、さらに摺動子４７の後には、摺動補助部材５９を設ける。
【００６０】
一方、筆芯５４に設けた小物コイルバネ２０の後方には連動部材４８を設け、その連動部材４８を軸体２８の親指側に突設したつまみ４９に連動させる。そして軸体２８につまみ４９を筆先の方向に押圧操作するための欠口５１を設ける。
【００６１】
当実施例は以上により形成し、これを使用する際は、保持態勢では、小物コイルバネ２０とコイルバネ６３の弾力によって、筆先５５は軸体２８のなかに、軸体２８の後部はキャップ５３の中にそれぞれ収納され、コンパクトな形状になる。そして筆記態勢に切替える際は、親指２で、つまみ４９を指先の方に軽く押圧すると、つまみ４９が欠口５１の中で移動しながら、連動部材４８を推圧して、小物コイルバネ２０の弾力に抗しながら、筆先５５が軸体２８から突出される。これに続いてつまみ４９を継続して押圧することによって、今度は軸体２８自体が、尾部から摺動補助部材５９を牽動させ、摺動子４７と回転子４６が押圧され、コイルバネ６３の弾力に抗しながら前方に移動され、軸体２８の後部がキャップ５３の中から外側に突出される。筆記具の長さが筆記態勢所要の長さまで伸長された時点で親指を離すと、回転子がカム突部５０に掛止されてとどまる。そして親指でそのままつまみ４９を下方に降ろすと、伸長された筆記具が回転され、筆記態勢になる。
【００６２】
筆記態勢を保持態勢に切替える際は、親指で一旦つまみ４９を僅かに前に押し出してから放すと、摺動補助部材５９と、摺動子４７、回転子４６の動きで、軸体２８がカム突出部５０から外れ、カム突出部５０の隙間に入り、小物コイルバネ２０と、コイルバネ６３の弾力で、筆芯５４と軸体２８の後部が、それぞれもとの保持態勢の位置に戻る。そして筆記具が人差指と平行に成るまで、つまみ２８を上に押上げると、筆記具が回転され保持態勢となる。
【００６３】
上記の態勢切替え操作の手順は、好みによって、先に筆記具を短縮させてから回転させることも、先に回転させてから筆記具を短縮させることも可能である。しかし、上記の操作は分かりやすく説明するため数段階に分けて行ったが、実際の操作は、段階的に分けないで、筆記具の進退と回転の操作を同時に連続して行うと、一瞬で簡単に操作が完了する。
【００６４】
当実施例は、上記説明した筆記具の構造に、指装着部と連結材は上記実施例１と実施例３の中から、いずれかと同じようにすればよい。
【符号の説明】
【００６５】
１      人差指
２      親指
３      中指  
４      第二関節  
５      根関節  
６      係止部材        
７      指装着部材        
８      延伸部材  
９      連結部材
１０    差込口  
１１    挟持部材  
１２    受托部材
１３    連結部材
１４    割口  
１５    半球形凹部
１６    半球形突出部材
１７    間壁
１８    筒状体
１９    挟持環
２０    小物コイルバネ
２１    突出部
２２    ネジ部
２３    三角形突歯
２４    横欠口
２５    手握部
２６    カバー
２７    ネジ孔
２８    軸体
２９    係止歯
３０    ねじりバネ
３１    伸縮アーム
３２    蟻溝
３３    固定突歯
３４    歯車
３５    半円形爪
３６    歯板
３７    一方向歯
３８    回動補助片
３９    横軸
４０    ガード部材
４１    ねじりバネ
４３    歯車
４４    弾性部材
４５    ボタン
４６    回転子
４７    習動子
４８    連動部材
４９    つまみ
５０    カム突部
５１    欠口
５２    尾栓
５３    キャップ
５４    筆芯
５５    筆先
５６    傾斜度
５７    アーム端部
５８    アーム端部
５９    習動補助部材  
６０    ボルト
６１    一方向歯
６２    三角形空間
６３    コイルバネ
【図１】
2011031502.tif 000003
【図２】
2011031502.tif 000004
【図３】
2011031502.tif 000005
【図４】
2011031502.tif 000006
【図５】
2011031502.tif 000007
【図６】
2011031502.tif 000008
【図７】
2011031502.tif 000009
【図８】
2011031502.tif 000010
【図９】
2011031502.tif 000011
【図１０】
2011031502.tif 000012
【図１１】
2011031502.tif 000013
【図１２】
2011031502.tif 000014
【図１３】
2011031502.tif 000015
【図１４】
2011031502.tif 000016
【図１５】
2011031502.tif 000017
【図１６ａ】
2011031502.tif 000018
【図１６ｂ】
2011031502.tif 000019
【図１６ｃ】
2011031502.tif 000020
【図１７】
2011031502.tif 000021
【図１８】
2011031502.tif 000022
【図１９】
2011031502.tif 000023
【図２０】
2011031502.tif 000024
【図２１ａ】
2011031502.tif 000025
【図２１ｂ】
2011031502.tif 000026
【図２１ｃ】
2011031502.tif 000027
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
少なくとも人差指に装着するための指装着部と、筆記具を保持させるための筆記具保持部と、上記指装着部と筆記具保持部を連結させるための連結部との三つの部分から形成し、上記指装着部と連結部を介して、筆記具を人差指の親指側に保持させて、保持態勢と筆記態勢を交互に切替えながら使用する筆記具指保持具において、指装着部の親指側の壁面を手首の方に延伸させてなる延伸部材を設け、筆記具保持部材には受托部を設け、連結部の位置を、筆記具を人差指と平行に保持させた際の、筆記具の下方に設ける手段によって、筆記態勢で筆記具と人差指の間に自然と三角形空間ができ、筆記具の保持態勢と筆記態勢との交互切替えの際に、筆記具が所要の位置まで至らなかったり、行き過ぎたりすることがなく、所要の位置で止まる事ができ、保持態勢では筆記具の先が人差指の指先より後ろに位置させることと、筆記態勢では筆記具が人差指の指先の前に突出することができ、保持態勢では筆記具が人差指と平行状態を保持し、筆記態勢では筆記具の先が人差指の指先の下に置かれる傾斜度を形成する事ができ、筆記態勢と保持態勢との切替え操作を、親指の動きだけで可能で、保持態勢と筆記態勢で、指が筆記具から離れても、筆記具の姿勢が崩れないなど、以上の五つの機能を備えたことを特徴とする筆記具指保持具。
【請求項２】
少なくとも人差指に装着するための指装着部と、受托部と一体化させた筆記具と、上記指装着部と筆記具を連結させるための連結部との三つの部分から形成し、上記指装着部と連結部を介して、筆記具を人差指の親指側に保持させて、保持態勢と筆記態勢を交互に切替えながら使用する指装着用筆記具であって、指装着部の親指側の壁面に手首の方に延伸させてなる延伸部材を設け、筆記具と受托部を一体化させ、連結部の位置を、筆記具を人差指と平行に保持させた際の、筆記具の下方に設ける手段によって、筆記態勢で筆記具と人差指の間に自然と三角形空間ができ、筆記具の保持態勢と筆記態勢との交互切替えの際に、筆記具が所要の位置まで至らなかったり、行き過ぎたりすることがなく、所要の位置で止まる事ができ、保持態勢では筆記具の先が人差指の指先より後ろに位置させることと、筆記態勢では筆記具が人差指の指先の前に突出することができ、保持態勢では筆記具が人差指と平行状態を保持し、筆記態勢では筆記具の先が人差指の指先の下に置かれる傾斜度を形成する事ができ、筆記態勢と保持態勢との切替え操作を、親指の動きだけで可能で、保持態勢と筆記態勢で、指が筆記具から離れても、筆記具の姿勢が崩れないなど、以上の五つの機能を備えたことを特徴とする指装着用筆記具。
【請求項３】
連結部材に半球形凹部と、半球形突出部を設け、若しくは連結部材に三角形突歯を設ける手段により、保持態勢の筆記具を親指で側上方から下方に押し降ろすと筆記態勢となり、筆記態勢の筆記具を親指で下方から上に押上げすると、保持状態となることを特徴とする、上記請求項１の筆記具指保持具。
【請求項４】
連結部材に半球形凹部と、半球形突出部を設け、若しくは連結部材に三角形突歯を設ける手段により、保持態勢の筆記具を親指で側上方から下方に押し降ろすと筆記態勢となり、筆記態勢の筆記具を親指で下方から上に押上げすると、保持状態となることを特徴とする、上記請求項２の指装着用筆記具。
【請求項５】
連結部材に単方向のみ回転可能な一方向歯を設ける手段により、親指で筆記具を下方から上方に押上げて離す動きを繰り返すだけで、筆記具の保持態勢と筆記態勢との交互間切替え操作を可能にしたことを特徴とする、上記請求項１の筆記具指保持具。
【請求項６】
連結部材に単方向のみ回転可能な一方向歯を設ける手段により、親指で筆記具を下方から上方に押上げて離す動きを繰り返すだけで、筆記具の保持態勢と筆記態勢との交互間切替え操作を可能にしたことを特徴とする、上記請求項２の指装着用筆記具。
【請求項７】
連結部材の中央にボタンを突設し、連結部材に設けた一方向歯を親指側に向けて設けることによって、親指を筆記具のボディに触れる必要がなく、ボタンの操作だけで、筆記具の保持態勢を筆記態勢に切り替えることを特徴とする、上記請求項１の筆記具指保持具。
【請求項８】
連結部材の中央にボタンを突設し、連結部材に設けた一方向歯を親指側に向けて設けることによって、親指を筆記具のボディに触れる必要がなく、ボタンの操作だけで、筆記具の保持態勢を筆記態勢に切り替えることを特徴とする、上記請求項２の指装着用筆記具。
【請求項９】
連結部材に伸縮アームを設ける手段により、筆記具の筆記態勢と保持態勢との交互間態勢を切替える際に、筆記具の進退或いは伸縮が自動的に行われることを特徴とする上記請求項１の筆記具指保持具。
【請求項１０】
連結部材に伸縮アームを設ける手段により、筆記具の筆記態勢と保持態勢との交互間態勢を切替える際に、筆記具の進退或いは伸縮が自動的に行われることを特徴とする上記請求項２の指装着用筆記具。
【請求項１１】
キャップの中に歯車を設け、筆記具の軸体に歯板を設ける手段により、保持態勢での筆記具の先と軸体全体が、キャップの中に収納されることを特徴とする上記請求項２の指装着用筆記具。
【請求項１２】
筆記具のキャップと軸本体の間と、筆先と軸体の間にそれぞれコイルバネと小物コイルバネを設け、筆記具の親指側につまみを設け、つまみの操作で筆記具を筆記態勢と保持態勢との交互に切替えると、筆記具の先が自動的に軸体の中に出入されると同時に、筆記具の軸体の後部が自動的にキャップの中に出入されることを特徴とする請求項２の指装着用筆記具。
【手続補正２】
【補正対象書類名】明細書
【補正対象項目名】００６１
【補正方法】変更
【補正の内容】
【００６１】
当実施例は以上により形成し、これを使用する際は、保持態勢では、小物コイルバネ２０とコイルバネ６３の弾力によって、筆先５５は軸体２８のなかに、軸体２８の後部はキャップ５３の中にそれぞれ収納され、コンパクトになる。そして筆記態勢に切替える際は、親指２で、つまみ４９を指先の方に軽く押圧すると、つまみ４９が欠口５１の中で移動しながら、連動部材４８を推圧して、小物コイルバネ２０の弾力に抗しながら、筆先５５が軸体２８から突出される。これに続いてつまみ４９を継続して押圧することによって、今度は軸体２８自体が、尾部から摺動補助部材５９を牽動させ、摺動子４７と回転子４６が押圧され、コイルバネ６３の弾力に抗しながら前方に移動され、軸体２８の後部がキャップ５３の中から外側に突出される。筆記具の長さが筆記態勢所要の長さまで伸長された時点で親指を離すと、回転子がカム突出部５０に掛止されてとどまる。そして親指でそのままつまみ４９を下方に降ろすと、伸長された筆記具が回転され、筆記態勢になる。
【手続補正３】
【補正対象書類名】明細書
【補正対象項目名】００６５
【補正方法】変更
【補正の内容】
【００６５】
１      人差指
２      親指
３      中指  
４      第二関節  
５      根関節  
６      係止部材        
７      指装着部材        
８      延伸部材  
９      連結部材
１０    差込口  
１１    挟持部材  
１２    受托部材
１３    連結部材
１４    割口  
１５    半球形凹部
１６    半球形突出部材
１７    間壁
１８    筒状体
１９    挟持環
２０    小物コイルバネ
２１    突出部
２２    ネジ部
２３    三角形突歯
２４    横欠口
２５    手握部
２６    カバー
２７    ネジ孔
２８    軸体
２９    係止歯
３０    ねじりバネ
３１    伸縮アーム
３２    蟻溝
３３    固定突歯
３４    歯車
３５    半円形爪
３６    歯板
３７    一方向歯
３８    回動補助片
３９    横軸
４０    ガード部材
４１    ねじりバネ
４３    歯車
４４    弾性部材
４５    ボタン
４６    回転子
４７    習動子
４８    連動部材
４９    つまみ
５０    カム突出部
５１    欠口
５２    尾栓
５３    キャップ
５４    筆芯
５５    筆先
５６    傾斜度
５７    アーム端部
５８    アーム端部
５９    習動補助部材  
６０    ボルト
６１    一方向歯
６２    三角形空間
６３    コイルバネ
【手続補正４】
【補正対象書類名】図面
【補正対象項目名】全図
【補正方法】変更
【補正の内容】
【図１】
2011031502.tif 000028
【図２】
2011031502.tif 000029
【図３】
2011031502.tif 000030
【図４】
2011031502.tif 000031
【図５】
2011031502.tif 000032
【図６】
2011031502.tif 000033
【図７】
2011031502.tif 000034
【図８】
2011031502.tif 000035
【図９】
2011031502.tif 000036
【図１０】
2011031502.tif 000037
【図１１】
2011031502.tif 000038
【図１２】
2011031502.tif 000039
【図１３】
2011031502.tif 000040
【図１４】
2011031502.tif 000041
【図１５】
2011031502.tif 000042
【図１６ａ】
2011031502.tif 000043
【図１６ｂ】
2011031502.tif 000044
【図１６ｃ】
2011031502.tif 000045
【図１７】
2011031502.tif 000046
【図１８】
2011031502.tif 000047
【図１９】
2011031502.tif 000048
【図２０】
2011031502.tif 000049
【図２１ａ】
2011031502.tif 000050
【図２１ｂ】
2011031502.tif 000051
【図２１ｃ】
2011031502.tif 000052
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
少なくとも人差指に装着するための指装着部と、筆記具を保持させるための筆記具保持部と、上記指装着部と筆記具保持部を連結させるための連結部との三つの部分から形成し、上記指装着部と連結部を介して、筆記具を人差指の親指側に保持させて、保持態勢と筆記態勢を交互に切替えながら使用する筆記具指保持具において、指装着部の親指側の壁面を手首の方に延伸させてなる延伸部材を設け、連結部の位置を、筆記具を人差指と平行に保持させた際の、筆記具の下方に設ける手段によって、筆記態勢で筆記具と人差指の間に自然と三角形空間ができ、筆記具の保持態勢と筆記態勢との交互切替えの際に、筆記具が所要の位置まで至らなかったり、行き過ぎたりすることがなく、所要の位置で止まる事ができ、保持態勢では筆記具の先が人差指の指先より後ろに位置させることと、筆記態勢では筆記具が人差指の指先の前に突出することができ、保持態勢では筆記具が人差指と平行状態を保持し、筆記態勢では筆記具の先が人差指の指先の下に置かれる傾斜度を形成する事ができ、筆記態勢と保持態勢との切替え操作を、親指の動きだけで可能で、保持態勢と筆記態勢で、指が筆記具から離れても、筆記具の姿勢が崩れないなど、以上の五つの機能を備えたことを特徴とする筆記具指保持具。
【請求項２】
少なくとも人差指に装着するための指装着部と、筆記具と、上記指装着部と筆記具を連結させるための連結部との三つの部分から形成し、上記指装着部と連結部を介して、筆記具を人差指の親指側に保持させて、保持態勢と筆記態勢を交互に切替えながら使用する指装着用筆記具であって、指装着部の親指側の壁面に手首の方に延伸させてなる延伸部材を設け、連結部の位置を、筆記具を人差指と平行に保持させた際の、筆記具の下方に設ける手段によって、筆記態勢で筆記具と人差指の間に自然と三角形空間ができ、筆記具の保持態勢と筆記態勢との交互切替えの際に、筆記具が所要の位置まで至らなかったり、行き過ぎたりすることがなく、所要の位置で止まる事ができ、保持態勢では筆記具の先が人差指の指先より後ろに位置させることと、筆記態勢では筆記具が人差指の指先の前に突出することができ、保持態勢では筆記具が人差指と平行状態を保持し、筆記態勢では筆記具の先が人差指の指先の下に置かれる傾斜度を形成する事ができ、筆記態勢と保持態勢との切替え操作を、親指の動きだけで可能で、保持態勢と筆記態勢で、指が筆記具から離れても、筆記具の姿勢が崩れないなど、以上の五つの機能を備えたことを特徴とする指装着用筆記具。
【請求項３】
連結部に半球形凹部と、半球形突出部を設け、若しくは連結部に三角形突歯を設ける手段により、保持態勢の筆記具を親指で側上方から下方に押し降ろすと筆記態勢となり、筆記態勢の筆記具を親指で下方から上に押上げすると、保持状態となることを特徴とする、上記請求項１の筆記具指保持具。
【請求項４】
連結部に半球形凹部と、半球形突出部を設け、若しくは連結部に三角形突歯を設ける手段により、保持態勢の筆記具を親指で側上方から下方に押し降ろすと筆記態勢となり、筆記態勢の筆記具を親指で下方から上に押上げすると、保持状態となることを特徴とする、上記請求項２の指装着用筆記具。
【請求項５】
連結部に単方向のみ回転可能な一方向歯を設ける手段により、親指で筆記具を下方から上方に押上げて離す動きを繰り返すだけで、筆記具の保持態勢と筆記態勢との交互間切替え操作を可能にしたことを特徴とする、上記請求項１の筆記具指保持具。
【請求項６】
連結部に単方向のみ回転可能な一方向歯を設ける手段により、親指で筆記具を下方から上方に押上げて離す動きを繰り返すだけで、筆記具の保持態勢と筆記態勢との交互間切替え操作を可能にしたことを特徴とする、上記請求項２の指装着用筆記具。
【請求項７】
連結部の中央にボタンを突設し、連結部に設けた一方向歯を親指側に向けて設けることによって、親指を筆記具のボディに触れる必要がなく、ボタンの操作だけで、筆記具の保持態勢を筆記態勢に切り替えることを特徴とする、上記請求項１の筆記具指保持具。
【請求項８】
連結部の中央にボタンを突設し、連結部に設けた一方向歯を親指側に向けて設けることによって、親指を筆記具のボディに触れる必要がなく、ボタンの操作だけで、筆記具の保持態勢を筆記態勢に切り替えることを特徴とする、上記請求項２の指装着用筆記具。
【請求項９】
連結部に伸縮アームを設ける手段により、筆記具の筆記態勢と保持態勢との交互間態勢を切替える際に、筆記具の進退或いは伸縮が自動的に行われることを特徴とする上記請求項１の筆記具指保持具。
【請求項１０】
連結部に伸縮アームを設ける手段により、筆記具の筆記態勢と保持態勢との交互間態勢を切替える際に、筆記具の進退或いは伸縮が自動的に行われることを特徴とする上記請求項２の指装着用筆記具。
【請求項１１】
キャップの下に直接連結部をつなげ、キャップの中にはピニオン歯車と、筆記具の軸体に設けた歯板と、指装着部の親指側まで延設した壁面の辺縁に設けた固定突歯を設け、これらを噛合連動させることで、筆記具の軸体をキャップの中から進出可能にさせ、保持態勢での筆記具の先と軸体全体が、キャップの中に収納されることを特徴とする上記請求項２の指装着用筆記具。
【請求項１２】
キャップの下に連結部をつなげ、キャップの内周面には複数のカム突出部を設け、筆先と軸体にはそれぞれ小物コイルバネとコイルバネを串設し、コイルバネの後に回転子と摺動子と摺動補助部材を設け、一方、筆記具の親指側につまみを設け、つまみと上記摺動補助部材を連動部材で連動させ、つまみの操作で、上記小物コイルバネとコイルバネの弾力を利用して、軸体と上記カム突出部とを自在に離合させることで、筆記具を保持態勢では筆先と軸体をそれぞれ軸体とキャップの中に収納し、筆記態勢に切替えると、筆記具の先が自動的に軸体の中から突出されると同時に、筆記具の軸体の後部が自動的にキャップの中から突出されることを特徴とする上記請求項２の指装着用筆記具。
【手続補正２】
【補正対象書類名】明細書
【補正対象項目名】００６２
【補正方法】変更
【補正の内容】
【００６２】
筆記態勢を保持態勢に切替える際は、親指で一旦つまみ４９を僅かに前に押し出してから放すと、摺動補助部材５９と、摺動子４７、回転子４６の動きで、軸体２８がカム突出部５０から外れ、カム突出部５０の隙間に入り、小物コイルバネ２０と、コイルバネ６３の弾力で、筆芯５４と軸体２８の後部が、それぞれもとの保持態勢の位置に戻る。そして筆記具が人差指と平行に成るまで、つまみ４９を上に押上げると、筆記具が回転され保持態勢となる。
【手続補正３】
【補正対象書類名】明細書
【補正対象項目名】００６４
【補正方法】変更
【補正の内容】
【００６４】
当実施例は、上記説明した筆記具の構造に、指装着部と連結部は上記実施例１と実施例３の中から、いずれかと同じようにすればよい。